(57)【要約】【課題】　書換可能エリアと再生専用エリアの境界における配置条件を定め、両エリアのデータの混同を生じないようにすると共に、両エリアを実質的に隣合わせに、または一定の幅を持つランドを通して配置し、光ディスクの利用効率の低下を招くことのない新規な光ディスクを提供する。【解決手段】　書換可能エリアと再生専用エリアの両者を有する光ディスクにおいて、書換可能エリアは、ランドとグルーブが所定の半径上に想定した切り替え線上で交互に接続され、ピッチＰａを有する一本のスパイラル状に形成された記録トラックを有する記録トラックで形成されており、再生専用エリアは、ピッチＰｂを有する一本のスパイラル状に形成された記録トラックに連続したマーク列により予め情報が記録されており、該書換可能エリアと該再生専用エリアとの切り替えは、大略前記半径上に想定した切り替え線に沿って行われる。【選択図】図３
2004006042.tif 000002
【特許請求の範囲】
【請求項１】
　ランドとグルーブが所定の半径上に想定した切り替え線上で交互に接続され、ピッチＰａを有する一本のスパイラル状に形成された記録トラックを有する書換可能エリアと、
　ピッチＰｂを有する一本のスパイラル状に形成された記録トラックに連続したマーク列により予め情報が記録されている再生専用エリアとを有する光ディスクであって、
　上記再生専用エリアは上記光ディスクの内周側に配置され、上記再生専用エリアには複数の再生専用トラックが形成され、
　上記書換可能エリアは上記光ディスクの外周側に配置され、上記書換可能エリアには複数の書換可能トラックが形成され、
　上記複数の書換可能トラックのそれぞれは複数の第１のセクタに分割され、
　上記複数の再生専用トラックのそれぞれは複数の第２のセクタに分割され、
　上記複数の第２のセクタのデータエリアには所定の再生フォーマットを有する信号が予め記録され、
　上記複数の第１のセクタのデータエリアには、上記再生フォーマットと同じデータフォーマットである記録フォーマットを有する信号が記録可能であり、
　上記書換可能エリアと上記再生専用エリアとの切り替えが、大略上記半径上に想定した切り替え線に沿って行われることを特徴とする光ディスク。
【請求項２】
　請求項１記載の光ディスクであって、上記ＰａとＰｂがほぼ等しいことを特徴とする光ディスク。
【発明の詳細な説明】
【技術分野】
【０００１】
　本発明は、記録または再生可能なエリア（以下、書換可能エリアという。）と、再生のみ可能なエリア（以下、再生専用エリアという。）を有する光ディスクに関する。
【背景技術】
【０００２】
　光ディスクに書換可能エリアと再生専用エリアとが混在する場合、書換可能エリアと再生専用エリアの境界をどのように設定するかが問題となる。
【０００３】
【特許文献１】特開平８−０２２６４０号公報
【発明の開示】
【発明が解決しようとする課題】
【０００４】
　書換可能エリアと再生専用エリアの境界において、両エリアが接近しすぎるとデータの混同が生ずる一方、両エリアが離間すると光ディスクの利用効率の低下を招く。
【０００５】
　本発明は、上記の問題を解決し、書換可能エリアと再生専用エリアの境界における配置条件を定め、両エリアのデータの混同を生じないようにすると共に、両エリアを実質的に隣合わせに、または一定の幅を持つランドを通して配置し、光ディスクの利用効率の低下を招くことのない新規な光ディスクを提供することを目的としている。
【課題を解決するための手段】
【０００６】
　上記目的を達成するための発明は、次の通りである。
【０００７】
　本発明の光ディスクは、ランドとグルーブが所定の半径上に想定した切り替え線上で交互に接続され、ピッチＰａを有する一本のスパイラル状に形成された記録トラックを有する書換可能エリアと、ピッチＰｂを有する一本のスパイラル状に形成された記録トラックに連続したマーク列により予め情報が記録されている再生専用エリアとから成り、該書換可能エリアと該再生専用エリアとの切り替えが、大略前記半径上に想定した切り替え線に沿って行われることを特徴とする光ディスクであり、これにより上記目的が達成される。
【０００８】
　上述の光ディスクにおいては、書換可能エリアは、複数の記録セクタを有し、各記録セクタは、アドレス情報を表すマークによりあらかじめフォーマットされたヘッダ領域と、データを記録するデータ記録領域を有しており、該ヘッダ領域は、２Ｋ個（Ｋは正の整数）の物理的アドレス領域ＰＩＤiを有し、各物理的アドレス領域ＰＩＤiは、少なくともセクタアドレス情報を蓄えるアドレス領域Ｐｉｄを含むと共に、物理的アドレス領域ＰＩＤ1、・・ＰＩＤkがグルーブ記録トラックから約Ｐａ/2だけディスクの第１の半径方向にずれて位置し、物理的アドレス領域ＰＩＤk+1、・・ＰＩＤ2kがグルーブ記録トラックから約Ｐａ/2だけディスクの第２の半径方向にずれて位置していてもよい。
【０００９】
　上述の光ディスクは、上記ＰａとＰｂがほぼ等しくてもよい。
【００１０】
　なお、本明細書に記載されている発明は、少なくとも以下のとおりである。ディスク基板上に円周状にグルーブと該グルーブの間のランドの両方が形成され、ディスク１周分に相当する前記グルーブの記録トラックとディスク１周分に相当する前記ランドの記録トラックが所定の半径上に想定した切り替え線上で交互に接続されることにより１本の記録スパイラルが形成されており、前記記録トラックのトラックピッチＰａはλ／ＮＡより小さい値とされ、所定の開口数ＮＡのレンズで集光された所定の波長λのレーザビームを照射することによって局所的反射率変化が生じる相変化記録膜を含み、前記局所的反射率変化により生じた記録マークの前後両端のエッジ位置により情報記録が行われる第１の情報データ記録領域が配置された書換可能エリアと、
　前記光ディスク上に予め凸凹状のピット列を形成配列することにより、前記記録トラックのトラックピッチＰａと大略同等のトラックピッチＰｂのスパイラル状の記録トラックを形成し、情報データを予め記録しておく第２の情報データ記録領域を配置した再生専用エリアとを有し、
　前記書換可能エリアは、複数の記録セクタを有し、各記録セクタは、アドレス情報を表すエンボスされたピットにより予めフォーマットされた第１のヘッダ領域と、データを記録する第１の情報データ領域を有しており、
　前記第１のヘッダ領域は、少なくともセクタドレス情報を蓄えるアドレス領域Ｐｉｄを含む物理的アドレス領域ＰＩＤを含み、その物理的アドレス領域ＰＩＤは２Ｋ回（Ｋは正の整数）繰り替えされ、
　２Ｋの物理的アドレス領域ＰＩＤが次の順序ＰＩＤ1、…ＰＩＤK、ＰＩＤK+1、…、ＰＩＤ2Kで表現される時は、はじめの半分ＰＩＤ1、…ＰＩＤK、がグルーブ記録セクタのトラックから約Ｐａ／２のずれがディスクの第１の半径方向にあり、後の半分ＰＩＤK+1、…、ＰＩＤ2K、がグルーブ記録セクタのトラックから約Ｐａ／２のずれがディスクの第２の半径方向にあり、
　前記書換可能エリアは、先頭の端に一周の螺旋状パターンで構成される始端トラックランドと、終りの端に一周の螺旋状パターンで構成される終端トラックランドを有し、それによって書換可能エリアのトラックから約Ｐａ／２ずれている物理的アドレス領域ＰIＤの部分が始端トラックランドと終端トラックランドの中に進入することを特徴とする光ディスクである。
【００１１】
　この第１の発明によれば、光ディスクにおいて、書換可能エリアと再生専用エリアの境界は、書換可能エリアの上にある境界線に接して存在する始端トラックランドもしくは終端トラックランドを常に存在しており、前記ランドの表面レベルは境界線の再生専用エリアのレベルと同じである。結果として書換可能エリアと再生専用エリアの間の境界線は決してグルーブと接する事はない。書換可能エリアのグルーブの記録マークは誤って再生専用エリアのエムボスドマークと混合することはない。
【００１２】
　書換可能エリアのトラックと約Pa/2のずれがある物理的アドレス領域PIDの部分は、始端トラックランドもしくは終端トラックランドの中に進入している。その結果、ずれのある部分は再生専用エリアの中に進入することはない。したがって、物理的アドレス領域PIDのデータと再生専用エリアのエムボスドマークの間にクロストークが出ない。
【００１３】
　第２の発明は、第１の発明の光ディスクであって、更に、始端トラックランドと、近接する再生専用エリアとの間に位置し、あらかじめ定められた幅を持つ追加のランドを含むと共に、終端トラックランドと、近接する再生専用エリアとの間に位置し、あらかじめ定められた幅を持つ別の追加のランドを含むことを特徴とする光ディスクである。
【００１４】
　第２の発明により、追加のランドを挿入することにより上記書換可能エリアと再生専用エリアとの間のクロストークを防ぐことが出きる。また追加ランドが設けられているので、上記書換可能エリアと再生専用エリアのトラックの間の配列を調節することは不必要になる。さらに、追加のランドを検出することにより上記書換可能エリアと再生専用エリアの間を区別することができる。
【００１５】
　第３の発明は、上記第１の発明に基づく光ディスクであって、上記書換可能エリアと再生専用エリアは少なくとも光ディスクの中心部側のリード・イン・エリアに形成され、該再生専用エリアは予め制御データが書き込まれたコントロールデータゾーンとして用いられることを特徴とする光ディスクである。
【００１６】
　この第３の発明によれば、光ディスクの中心部分のリード・イン・エリアに書換可能エリアと再生専用エリアが設けられている。その結果、コントロールデータゾーンとして用いられる再生専用エリアには、その始端トラックおよび終端トラックには一切のデータを書き込まないように制御データを加えることも可能である。
【００１７】
　第４の発明は、上記第３の発明に基づく光ディスクであって、上記制御データに、上記始端トラックランドおよび終端トラックランドにデータを記録することを禁止するデータが含まれることを特徴とする光ディスクである。
【００１８】
　この第４の発明によれば、再生専用エリアから読み出されたデータは書換可能エリアから読み出されたデータと混同することはない。その理由は始端トラックもしくは終端トラックランドには一切のデータが記載されていないためである。
【００１９】
　第５の発明は、上記第１の発明に基づく光ディスクであって、再生専用エリアと書換可能エリアの切り替えが、大略切り替え線に沿って行われることを特徴とする光ディスクである。
【００２０】
　第５の発明によれば、再生専用エリアと書換可能エリアの各トラックの先頭の端は切り替え線に沿って配列されている。その結果、容易にトラックをシークし、トラックを制御することが可能になる。また再生専用エリアと書換可能エリアの切り替えがどこにあるか容易に見つけることができる。
【００２１】
　第６の発明は、上記第１の発明に基づく光ディスクであって、レーザビームの波長λが６５０nm、レンズ開口数ＮＡが０.６であり、トラックピッチＰａおよびトラックピッチＰｂがともに０.７４μmであり、８情報ビットを１６チャンネルビットに変調する変調方式を採用し、最短記録マーク長を３チャンネルビットとし、最長記録マーク長を１１チャンネルビットとすることを特徴とする光ディスクである。
【００２２】
　この第６の発明によれば、ディスクスペースを無駄にせずに効率よくコンパクトにデータフォーマットを作ることができる。
【００２３】
　第７の発明の光ディスクは次の構成になっている。
【００２４】
　ディスク基板上に円周状にグルーブと該グルーブの間のランドの両方が形成され、ディスク１周分に相当する前記グルーブの記録トラックとディスク１周分に相当する前記ランドの記録トラックが所定の半径上に想定した切り替え線上で交互に接続されることにより１本の記録スパイラルが形成されており、前記記録トラックのトラックピッチＰａはλ／ＮＡより小さい値とされ、所定の開口数ＮＡのレンズで集光された所定の波長λのレーザビームを照射することによって局所的反射率変化が生じる相変化記録膜を含み、前記局所的反射率変化により生じた記録マークの前後両端のエッジ位置により情報記録が行われる第１の情報データ記録領域が配置された書換可能エリアと、
　前記光ディスク上に予め凸凹状のピット列を形成配列することにより、前記記録トラックのトラックピッチＰａと大略同等のトラックピッチＰｂのスパイラル状の記録トラックを形成し、情報データを予め記録しておく第２の情報データ記録領域を配置した再生専用エリアとを有し、
　前記書換可能エリアは、複数の記録セクタを有し、各記録セクタは、アドレス情報を表すエンボスされたピットにより予めフォーマットされた第１のヘッダ領域と、データを記録する第１の情報データ領域を有しており、
　前記第１のヘッダ領域は、少なくともセクタドレス情報を蓄えるアドレス領域Ｐｉｄを含む物理的アドレス領域ＰＩＤを含み、その物理的アドレス領域ＰＩＤは２Ｋ回（Ｋは正の整数）繰り替えされ、
　２Ｋの物理的アドレス領域ＰＩＤが次の順序ＰＩＤ1、…ＰＩＤK、ＰＩＤK+1、…、ＰＩＤ2Kで表現される時は、はじめの半分ＰＩＤ1、…ＰＩＤK、がグルーブ記録セクタのトラックから約Ｐａ／２のずれがディスクの第１の半径方向にあり、後の半分ＰＩＤK+1、…、ＰＩＤ2K、がグルーブ記録セクタのトラックから約Ｐａ／２のずれがディスクの第２の半径方向にあり、
　前記書換可能エリアは、複数のトラック幅にほぼ等しい幅のランドを介して、前記再生専用エリアに近接して位置していることを特徴とする光ディスクである。
【００２５】
　第８の発明の光ディスクは、次の構成になっている。
【００２６】
　ディスク基板上に円周状にグルーブと該グルーブの間のランドの両方が形成され、ディスク１周分に相当する前記グルーブの記録トラックとディスク１周分に相当する前記ランドの記録トラックが所定の半径上に想定した切り替え線上で交互に接続されることにより１本の記録スパイラルが形成されており、前記記録トラックのトラックピッチＰａはλ／ＮＡより小さい値とされ、所定の開口数ＮＡのレンズで集光された所定の波長λのレーザビームを照射することによって局所的反射率変化が生じる相変化記録膜を含み、前記局所的反射率変化により生じた記録マークの前後両端のエッジ位置により情報記録が行われる第１の情報データ記録領域が配置された書換可能エリアと、
　前記光ディスク上に予め凸凹状のピット列を形成配列することにより、前記記録トラックのトラックピッチＰａと大略同等のトラックピッチＰｂのスパイラル状の記録トラックを形成し、情報データを予め記録しておく第２の情報データ記録領域を配置した再生専用エリアとを有し、
　前記書換可能エリアと、前記再生専用エリアの間の切り替えがほぼ切り替え線に沿っていること特徴とする光ディスクである。
【００２７】
　第９の発明は、上記第８の発明に基づく光ディスクであって、前記書換可能エリアのグルーブピッチは再生専用エリアのエムボスドマークのピッチの２倍であることを特徴とする光ディスクである。
【００２８】
　この第９の発明によれば、再生専用エリアに使用されている記録密度と同じ密度でデータを書換可能エリアに記録できる。
【発明の効果】
【００２９】
　本発明の光ディスクは、切り替え線（光ディスクの中心から半径方向に延びる仮想上の線）上においてランドとグルーブが切り替わる構成をとっており、書換可能エリアと再生専用エリアの切り替えは、常に切り替え線上において行われる。これにより、トラックを探しまたトラックを管理（制御）することが容易になる。また書換可能エリア、再生専用エリアの間の切り替え線の場所を容易に見つけることができる。
【発明を実施するための最良の形態】
【００３０】
　以下、本発明の好ましい実施の形態を添付の図を参照して説明をする。本発明は、下記の詳しい説明および添付の図面により、より完全に理解できる。
【００３１】
　（第１の実施の形態）
　以下、本発明の実施の形態について、図面を参照しながら説明する。
【００３２】
　図１は、本発明にかかる光ディスク１の平面図を示す。光ディスク１はその内側から書換可能エリア（記録又は再生可能な領域）２、再生専用エリア（再生のみ可能な領域）３、書換可能エリア４、再生専用エリア６、書換可能エリア７で構成されている。
【００３３】
　内側のエリア２、３、４はリード・イン・エリア５を構成し、書換可能エリア２及び４は光ディスクの記録特性を検査するためのエリアであり、再生専用エリア３は光ディスク１の特性やフォーマットが予め記録されているエリアである。
【００３４】
　リード・イン・エリア５の外側にある再生専用エリア６や書換可能エリア７はデータ・エリア８を構成し、オーディオデータやビデオデータが記録される。
【００３５】
　図１に示す光ディスク１に設けた書換可能エリアや再生専用エリアの配置は単に一例を示すものである。光ディスク１には内側から外側に向かって螺旋状のトラックが設けられており、書換可能エリアではそのトラックに沿ってデータが記録再生される一方、再生専用エリアではそのトラックに沿ってデータが再生される。なお、好ましい実施の形態ではトラックピッチは０.７４μｍである。
【００３６】
　図２は、屈折率ｎの基板１０に形成された書換可能エリア２と再生専用エリア３の詳細及びその境界部分を示す図である。書換可能エリア２は、ディスクの基準面と同一レベルに存在し、かつトラックに沿って延びるランド１１と、該基準面から所定量Ｄｐだけ窪み、かつトラックに沿って延びるグルーブ１２からなる。好ましい実施の形態では所定量Ｄｐは０.０７μｍである。また、ランド１１とそれに隣接するグルーブ１２のピッチＰａ、すなわちランド１１の中心線とグルーブ１２の中心線との間の距離は０.７４μｍである。従って、ランド１１自身（又はグルーブ１２自身）のピッチはトラックピッチの２倍、すなわち１.４８μｍである。
【００３７】
　ランド１１やグルーブ１２の表面は相変化記録膜１６が設けられており、光源１７から発せられ、所定の開口数ＮＡを有するレンズ１８から送られてくるレーザービームが局部的に照射されることにより、照射された部分が物理的変化、例えば局所的な反射率の変化を生じ二値化記録が可能となる。この照射された部分を記録マーク１３で示す。記録されたマークは、強度が調節されたレーザービームを再度照射することにより書換可能である。
【００３８】
　本発明の好ましい実施の形態では、レーザービームの波長λは６５０ｎｍであり、レンズ１８の開口数ＮＡは０.６である。また、光ディスクの基板１０の屈折率ｎは約１.５である。なお、ピッチＰａは、λ／ＮＡより小さい値となっている。
【００３９】
　書換可能エリアにおけるトラックはこのようにランドとグルーブが交互に配列されている。これはレーザービームのトラッキングを可能ならしめるためである。
【００４０】
　図２において、再生専用エリア３はディスクの基準面と同一レベルに存在するランド面１４においてトラックに沿って配列された複数のエンボスされたマーク１５、たとえばピットを有する。このエンボスされたマーク１５は予め形成されているので、光ディスクの利用者はこのエンボスされたマーク１５を消したり、書き換えたりすることができない。隣接して配列されたエンボスされたマーク１５のピッチＰｂは０.７４μｍである。
【００４１】
　再生専用エリア３に隣接する、書換可能エリア２の一番最後のトラック（終端トラックという。）は、図２に示すように常にランド１１で構成され、このようなランドは終端トラックランド１１aとして取り扱う。その終端トラックであるランド１１aには一切のデータの記録が禁止される構成となっている。この禁止は上で述べたディスク・バージョンのプロトコールにより予めその旨のフォーマットが記録されている。ディスク・バージョンは、リードインエリア５の再生専用エリア３に記録されている。図４に示されているように、再生専用エリア３に隣接する書換可能エリア２の一番最初のトラック（始端トラック１１ｓという。）もランドで形成され、終端トラックと同様に一切の記録が禁止される。
【００４２】
　換言すれば、本発明による光ディスクの書き換え可能エリアはグルーブとランドをディスクの各円周に交互に配列し、書き換え可能のトラックは常にグルーブで始まり、グルーブで終わる。さらに始めのトラックランド１１ｓは書き換え可能エリアの始めの書き換え可能のグルーブの外側、すなわち内周側にある。また終わりのトラックランド１１aは書き換え可能エリアの終わりの書き換え可能のグルーブの外側、すなわち外周側にある。始めのトラックランド１１ｓおよび終わりのトラックランド１１aにはデータの記録が禁じられている。始めのトラックランド１１ｓおよび終わりのトラックランド１１aは始めのトラックランド１１ｓおよび終わりのトラックランド１１aに隣接する再生専用エリアのグルーブトラックからトラック半分の幅がずれている最初のヘッダ前半部２４および次のヘッダ前半部２５を保存するものである。
【００４３】
　図３は、書換可能エリア２と再生専用エリア３を上から見た拡大平面図を示し、一本の螺旋状のトラックが内側から外側に延びている。書換可能エリア２は、上述したようにランド１１とグルーブ１２が交互に配列されている。更に詳述すれば、ランド１１が、所定した切り替え線２６を始点として一周存在して再び切り替え線２６に戻り、続いてグルーブ１２が同様に一周存在する。そしてまた、ランド１１が一周存在する。この切り替え線２６は光ディスク１の中心から半径方向に延びる仮想上の線であり、この線上においてランド１１とグルーブ１２が切り替わる構成となっている。また、終端トラックであるランド１１と次の再生専用エリア３との切り替えもこの切り替え線２６において行われる。すなわち、常に書換可能エリアと再生専用エリアの切り替え点を切り替え線２６上において行われる。さらに上記したように一連のエンボスマーク１５は再生専用エリア３の螺旋状トラックの上に形成されている。
【００４４】
　書換可能エリア、再生専用エリアの各トラックの先頭の端は、切り替え線２６にそって配列している。この結果、トラックを探しまたトラックを管理することが容易になる。また書換可能エリア、再生専用エリアの間の切り替え線２６の場所を容易に見つけることが出来る。
【００４５】
　図４は、書換可能エリア２、再生専用エリア３、書換可能エリア４の切り替え線２６近傍における拡大平面図を示す。切り替え線２６を先頭にトラックは一周当たりＮ個（Ｎは正の整数で例えば１７）のセクタ２３に分けられる。書換可能エリア２において、各セクタ２３は、その先頭側にヘッダ領域２１と、ミラー領域を介してそれに続く情報データ記録領域２２を有する。後で述べるように、再生専用エリア３にもヘッダ領域３１と情報データ記録領域３２があり、特に、書換可能エリア２におけるヘッダ領域２１と情報データ記録領域２２を第１のヘッダ領域、第１の情報データ記録領域と参照されている一方、再生専用エリア３におけるヘッダ領域３１と情報データ記録領域３２を第２のヘッダ領域、第２の情報データ記録領域と参照されている。
【００４６】
　さらに第１のヘッダ領域２１はヘッダ前半部２４とヘッダ後半部２５とに２分割されている。ヘッダ前半部２４はグルーブ１２の中心線から一方側に大略トラック半ピッチ分、上述の例では０.３７μｍずれた位置に存在する一方、ヘッダ後半部２５はグルーブ１２の中心線から他方側に大略トラック半ピッチ分、上述の例では０.３７μｍずれた位置に存在する。この第１のヘッダ領域２１の詳細を更に述べる。
【００４７】
　図５に示すように、ヘッダ前半部２４は連続して並べられた第１エリアＰＩＤ１と第２エリアＰＩＤ２から構成され、ヘッダ後半部２５は連続して並べられた第３エリアＰＩＤ３と第４エリアＰＩＤ４から構成される。第１〜第４エリアのそれぞれには第１〜第４識別コードが記録されていると共に、セクタのアドレスも記録されている。なお、この実施の形態におけるアドレスは、ランレングスが制限された変調方式で変調されている。
【００４８】
　図６に書換可能エリアにおける第１のヘッダ領域２１の具体的なデータ構成が示されている。まず始めに第１のヘッダ領域２１の信号フォーマットを説明する。第１エリアＰＩＤ１は、再生時の同期クロック生成及び検出タイミングを得るための単一周波数パターン領域ＶＦＯ１と、ヘッダ再生時のバイト同期及び上記検出タイミングの開始を認識するためのアドレスマーク領域ＡＭと、セクタのアドレス情報を保持するアドレス領域Ｐｉｄ１と、アドレス領域の誤りを検出する符号を保持するアドレス誤り検出領域ＩＥＤ１と、変調完結のためのポストアンブル領域ＰＡとから構成されている。
【００４９】
　同様に、第２エリアＰＩＤ２は、単一周波数パターン領域ＶＦＯ２と、アドレスマーク領域ＡＭと、アドレス領域Ｐｉｄ２と、アドレス誤り検出領域ＩＥＤ２と、ポストアンブル領域ＰＡとから成立している。
【００５０】
　同様に、第３エリアＰＩＤ３は、単一周波数パターン領域ＶＦＯ１と、アドレスマーク領域ＡＭと、アドレス領域Ｐｉｄ３と、アドレス誤り検出領域ＩＥＤ３と、ポストアンブル領域ＰＡとから成立している。
【００５１】
　更に、第４エリアＰＩＤ４は、単一周波数パターン領域ＶＦＯ２と、アドレスマーク領域ＡＭと、アドレス領域Ｐｉｄ４と、アドレス誤り検出領域ＩＥＤ４と、ポストアンブル領域ＰＡとから成る。
【００５２】
　変調方式は、８情報ビットを１６チャンネルビットの比率で変調し、最短記録マーク長のチャンネルビットを３ビットとし、最長記録マーク長のチャンネルビットを１１ビットとする方式である。
【００５３】
　単一周波数パターン領域ＶＦＯ１のそれぞれは、特定パターン、例えば（０００１０００１）の繰り返しパターンが記録されている領域であり、ＶＦＯ１の期間内に再生回路にある発振回路（図８に示されているＰＬＬ回路152の中にある）から発生される再生クロックの同期引き込みのために使用される。領域ＶＦＯ１の長さは、同期引き込みに十分な個数の記録マークのエッジを含めることができる長さとされ、本発明では好ましくは、３６バイトとされる。
【００５４】
　また、単一周波数パターン領域ＶＦＯ２のそれぞれは同じ特定パターンが繰り返し記録されており、ＶＦＯ２内に再生クロックの再同期引き込みに十分な個数の記録マークのエッジを含めることのできる長さとされ、本発明では好ましくは、８バイトとされる。
【００５５】
　アドレスマーク領域ＡＭのそれぞれは、変調ビット列に現れない記録マーク長のチャンネルビットパターンを含むことのできる長さとされ、変調方式の最長記録マーク長より長くなっている。この実施の形態では３バイトが好ましとされている。
【００５６】
　アドレス領域Ｐｉｄ１、Ｐｉｄ２、Ｐｉｄ３、Ｐｉｄ４のそれぞれは、記録セクタを識別するアドレスであり、本発明では好ましくは、４バイトとされる。
【００５７】
　アドレス誤り検出領域ＩＥＤ１、ＩＥＤ２、ＩＥＤ３、ＩＥＤ４のそれぞれは、アドレス領域Ｐｉｄの再生誤りを既知の最大の誤り率で検出できる長さとされ、本発明では好ましくは、２バイトとされる。
【００５８】
　ポストアンブルＰＡ領域は、変調方式で必要とされる長さ以上の長さで、かつ、記録マークを終結できる長さとされている。ポストアンブル領域ＰＡは本発明では好ましくは、１バイトとされる。
【００５９】
　更に、図６に示すように第１のヘッダ領域２１の後に、ミラー領域１２１が続く。ミラー領域１２１は、グルーブおよびエンボスマークが形成されていない平面部に存在して、たとえばトラッキングのずれの補正を行う。ミラー領域１２１の後に続く第１の情報データ記録領域２２の詳しいフォーマットを以下に説明する。
【００６０】
　第１の情報データ記録領域２２には、ギャップ領域１２２、第１のガードデータ領域、単一周波数パターン（ＶＦＯ３）領域１２４、プリ同期化領域、データ領域１２５、ポストアンブル領域、ガードデータ領域１２６、バッファ領域１２８が含まれている。ギャップ領域１２２、第１のガードデータ領域、単一周波数パターン（ＶＦＯ３）領域１２４、プリ同期化領域を総称して第１のバッファ領域を形成している一方、第２のガードデータ領域１２６とバッファ領域１２８がともに第２のバッファ領域を形成している。
【００６１】
　ギャップ領域１２２は、信号が割り当てられていない領域であって、レーザーパワーの調整を行うために設けてある。
【００６２】
　第１および第２のガードデータ領域番号１２６は、繰り返し録画・再生を行った場合の記録媒体の劣化を補償するため、記録データの始端部および終端部に配置されている。
【００６３】
　また、記録媒体は、同じデータを同じ場所に繰り返し記録すれば、劣化が進むという性質がある。これを補償するため、データ領域の前後のガードデータ領域の長さを調整して、データ領域の記録位置を移動させる。ガードデータ領域の長さを調整することにより、第１のガードデータ領域と第２ガードデータ領域の合計の長さは一定である。
【００６４】
　単一周波数パターン（ＶＦＯ３）領域１２４は、再生回路にある発振回路（図８のＰＬＬ１５２内にある）の発振周波数を設定するために、特定パターン、例えば変調符号のある特定のパルス幅を連続した繰り返しパターンを記録する領域である。
【００６５】
　プリシンク領域は、データ領域の先頭を検出するための同期信号で、自己相関の大きい符号パターンを記録する。
【００６６】
　データ領域１２５は、エラー訂正符号等を含み、ユーザが記憶したいデータを記録する領域である。なお、このデータは消し取り可能で有り、書換可能である。
【００６７】
　ポストアンブル領域は、変調方式で必要とされる長さ以上の長さで、かつ、記録マークを終結できる長さとなっている。され、ポストアンブル領域は本発明では好ましくは、１バイトとされる。
【００６８】
　バッファ領域１２８は、何も記録されていない領域であって、光ディスク１の回転ジッターの結果として起こるタイミングのズレを吸収するために設けてある。そのために記録データの終端１２３ｂが次のヘッダ領域に重ならないように出来る。
【００６９】
　本発明の好ましい実施の態様においては、ミラー領域１２１は２バイト、ギャップ領域１２２は１０バイト、単一周波数パターン（ＶＦＯ３）領域１２４は３５バイト、プリ同期化領域は３バイト、データ領域１２５は２４１８バイト、ポストアンブル領域は１バイト、バッファ領域１２８は４０バイトに設定されている。また、第１のガードデータ領域は１９±４バイト、第２のガードデータ領域は４１±４バイトとし、両ガードデータ領域の合計の長さは、６０バイトで一定とする。
【００７０】
　注目すべき点は本実施の形態では、第１および第２のガードデータ領域の長さを伸縮させて、データ領域の位置を移動させたが、これに限定されるものではない。例えば、ギャップ領域とバッファ領域の長さを同様に伸縮させても同じ効果を得ることが出来る。
【００７１】
　図７に再生専用エリアにおけるヘッダ領域３１（上記では第２のヘッダ領域として説明）の信号フォーマットが示されている。この第２にヘッダ領域３１は、ヘッダ領域２１と同じデータ配列および同じデータ容量を有すると共に、同じ変調符号で変調されたデータ系列である。
【００７２】
　なお、第２ヘッダ領域３１の後に２バイトのミラー領域１３０が続き、更にその後に第２の情報データ記録領域３２が続く。以下に第２の情報データ記録領域３２の詳しいフォーマットを説明する。
【００７３】
　データ領域１３１には、予め情報データがエンボスされたピット列により記録されておる。したがってこのデータ領域１３１は、再生のみが可能である。
【００７４】
　ポストアンブル領域ＰＡは、変調方式で必要とされる長さ以上の長さで、かつ、記録マークを終結できる長さとされる。ポストアンブル領域ＰＡは、好ましくは、１バイトとされる。
【００７５】
　第２の情報データ記録領域３２は、全てエンボスされたピット列がディスク作製時に予め記録がなされている。これと対照的なのは、記録マークにより利用者が繰り返し記録する第１の情報データ記録領域２２である。従って、第２の情報データ記録領域３２の記録状態は、第１の情報データ記録領域２２の記録状態と比べより安定したものとなっている。よって、第２の情報データ記録領域３２においては、ギャップ領域１２２、ガードデータ領域１２６、バッファ領域１２８を必要としない。
【００７６】
　そこで、第２の情報データ記録領域３２を第１の情報データ記録領域２２と同じ長さにし、かつ、データ領域１３１をデータ領域１２５と同じ長さにするため、第２の情報データ記録領域３２において、第１のバッファ領域に相当する箇所に第１のダミーデータを入れると共に、第２のバッファ領域に相当する箇所に第２のダミーデータを入れる。
【００７７】
　図７に示すデータフォマートにおいては、第１のダミー領域として、２８バイトの第１のパッド領域と１バイトのポストアンブル領域が加えられている。なお、この２つの領域は、第１の情報データ記録領域２２におけるギャップ領域と第１のガードデータ領域に対応する。また、上記のように、ガードデータ領域の長さは調節でき、第１のダミー領域の位置は可変のガードデータ領域範囲の長さの中心に合わせている。ポストアンブル領域は、変調方式で必要とされる長さ以上の長さ（１バイト）で、かつ、記録符号および記録マークを完結できるパターンを記録する。また、第１のガード領域に含まれる単一波長パターンのＶＦＯ領域（３５バイト）およびプリシンク領域（３バイト）に記録される同じパターンが第１ダミーエリアの単一波長パターンのＶＦＯ領域（３５バイト）およびプリシンク領域（３バイト）に記録される。
【００７８】
　次に、データエリア１３１のポストアンブルエリアＰＡに続いて第２データ記録エリア３２に第２ダミーエリア作るために、８０バイトの第２のパッド領域と１バイトのポストアンブルが加えられている。この２つの領域は、第１の情報データ記録領域２２における第２のガードデータ領域とバッファ領域に対応する。第１ダミエリアと同じように、第２のダミエリアの位置が対応する可変ガードデータエリア範囲の長さ中心に合わせている。ポストアンブル領域は、変調方式で必要とされる長さ以上の長さ（１バイト）で、かつ、記録符号および記録マークを終結できるパターンを記録する。
【００７９】
　前記第１のパッド領域と第２のパッド領域には、予め定めた特定のパターンを記録する。このパターンとして、例えば、ＶＦＯ領域と同様の一定の周期で反転を繰り返す単一周波数パターンや予め定めたデータによるパターンなどがある。
【００８０】
　図４に戻り、レーザービームの読取スポットが矢印Ａ１に沿ってランドトラック上を進んでいると考える。ディスクをほぼ一周すれば矢印Ａ２に向かって進み、やがて切り替え線２６に達する。次に切り替え線２６を越えればグルーブトラック上を矢印Ｂ１に沿って進む。ほぼ一周すれば矢印Ｂ２に向かって進み、再び切り替え線２６に達する。このようにして書換可能エリア２においては、ランドトラックとグルーブトラックとが一周毎に交互に切り替わる。そして、書換可能エリア２の終端トラックは必ずランド１１がくるように構成され、終端トラックであるランド１１が終われば、切り替え線２６上で再生専用エリア３に切り替わる。また、書換可能エリア２の終端トラックにおいては一切の記録マークが付されないように設定されている。
【００８１】
　同様に、再生専用エリア３から書換可能エリア４へ切り替わる際においても、書換可能エリア４の始端トラックにランド１１を設けると共に、このランド１１へのデータ書き込みは一切禁止されるよう設定されている。
【００８２】
　図８は、図６及び図７のいずれの信号フォーマットを有する光ディスクを再生する再生信号処理回路の簡単なブロック図である。図8において、トラック１３９は光ディスク１上のグルーブ１２もしくはランド１１のトラックである。１４０は分割光検出器で、トラックからの反射光を受光し、再生専用エリアの凸凹のピットや書換可能エリアの記録マークからの反射光を再生信号に変換する。そして、分割光検出器１４０の和信号をオペアンプ１４１で出力し、差信号をオペアンプ１４２で出力する。選択スイッチ１４３は和信号と差信号を切り替えて２値化回路１４４に入力する。
【００８３】
　差信号出力はエンベロープ検出器１４５で検出され、差信号出力が所定のしきい値以上になると、スイッチ１４３を差信号出力側に切り替える。図４の信号フォーマットでは、書換可能エリアの第１のヘッダ領域２１においてのみ差信号出力が所定のしきい値以上になるので、スイッチが差信号出力側に切り替わる。第１のヘッダ領域２１が再生される時に選択スイッチ１４３は差信号のみを出力する。書換可能エリアの第１の情報データ記録領域２２と、再生専用エリアの全領域では、差信号出力は所定のしきい値以下であるので、スイッチ１４３はこれらの領域から再生する間は和信号を出力する。
【００８４】
　デジタル化回路１４４は、和信号、差信号それぞれで設定したしきい値に従って作動し、再生信号をデジタル化する。ＰＬＬ１５２はデジタル化された信号から再生クロックを抽出し、各ヘッダ領域を再生するＰＩＤ再生器１５３に入力する。タイミング信号発生器１５４は使用者データを読み取るためのゲイト信号を出力し、デジタル信号はデモジュレータ１５５によって２値化データにデモジュレータされる。
【００８５】
　（第２の実施の形態）
　図９および図１０は本発明による書換可能エリアと再生専用エリアを有する光ディスクの第２実施の形態を示す。第１実施の形態の光ディスクと第２実施の形態の光ディスクとの違いは、終端トラックランド１１aおよび始端トラックランド１１ｓの近くに追加のランド１１ｂおよび１１ｃを設置して、再生専用エリアのデータのフォーマットを変更する点にある。
【００８６】
　まず追加のランドを下記に説明する。いかなる種類の記録データも追加のランド１１ｂおよび１１ｃに記録することが禁止されている。この記録禁止は、リードインエリア５の再生専用エリア３での記録が禁止されていることを記述する情報を書き込む事により完成される。
【００８７】
　図９に示されている例において、追加のランド１１ｂおよび１１ｃの幅Ｐｃはひとつの例として３．２６μｍである。しかしながら幅Ｐｃはそのように限定するものではなく、適当に選ぶことが出きる。本発明の好ましい実施の形態によれば、幅Ｐｃは０．６８−５．４２μｍ（両端の数字を含む）さらに、終端トラックランド１１aおよび追加ランド１１ｂはともに“結合ゾーン”と参照される。また同じように始端トラックランド１１ｓおよび追加ランド１１ｃはともに“結合ゾーン”と参照される。結合ゾーンは高い反射を持つミラーエリアである。
【００８８】
　追加のランド１１ｂおよび１１ｃの設置はディスク製造の時にカッティング機の調節を簡単にする。一般にカッティング機は書換可能エリアのグルーブとアドレスを作るための第１のレーザーと、および再生専用エリアの中にエムボスされたマークを造るための第２のレーザーをカッティング作業中に用いる。追加のランド１１ｂおよび１１ｃが図２および図４のように設置されていなければ、終端トラックランド１１aの一回の回転中に第１のレーザーから第２のレーザーに切り替える必要があり、また第１のレーザーを用いる書換可能エリアのトラックの配列と第２のレーザーを用いる再生専用エリアのトラックの配列とを正確に保つことが必要になる。したがって、高度の正確さが第１、第２のレーザーのビームスポットの位置決めに必要となる。しかしこの調節は困難である。一方本発明による追加ランドの設置は第１のレーザーから第２のレーザーに切り替えることに追加の時間を与え、第１のレーザーを用いる書換可能エリアのトラックの配列と第２のレーザーを用いる再生専用エリアのトラックの配列とを正確に保つことが不必要になる。さらには書換可能エリアと再生専用エリアとの間の動きは再生中のシーク動作で行なえるので、書換可能エリアと再生専用エリアでの正確なトラックの配列を維持する必要がなくなる。すなわち、結合ゾーンにはトラキングの管理が必要でない。
【００８９】
　さらに注目すべきことは、追加ランド１１ｂおよび１１ｃの幅はトラックピッチの約１０倍大きく、追加ランド１１ｂおよび１１ｃの全表面は鏡面である。したがって、シーク動作の間、追加ランドの検出が容易になる。追加ランドは各書換可能エリアと再生専用エリアの間に位置しているので、光ヘッドが追加ランドを越す毎に書換可能エリアと再生専用エリアの間の切り替えがある。したがって、ディスクの内周に位置しているはじめにアクセスしたエリアが書換可能エリアならば、追加ランドが検出されると、光ヘッドが現在書換可能エリアと再生専用エリアのどちらに位置しているかが容易に検知できる。
【００９０】
　追加ランドに対応する検出信号はトラッキング切り替え信号として用いることが出きる。その理由は書換可能エリアではプッシュプルトラッキング制御が用いられ、再生専用エリアでは位相差トラッキング制御が用いられているからである。
【００９１】
　さらに注目すべきことは追加のランドを設けることにより書換可能エリア２と再生専用エリア３との間のクロストークを避けることができる。
【００９２】
　再生専用エリアのデータフォーマットが下記に説明されている。
【００９３】
　図１０に示すように、再生専用エリア３にはＭ個のセクタ２３’、書換可能エリア２にはＮ個のセクタ２３が存在している。ＭはＮより大きく、ＭとＮの差はディスクの中心からの半径距離に依存している。
【００９４】
　図１１は図１０で示された再生専用エリア３のセクタ２３’のフォーマットの概略図を示す。
【００９５】
　セクタ２３’の各々は２４１８バイトを含み、第１実施の形態の再生専用エリアのセクタ２３のデータエリア２３と同じフォーマットを持っている。２４１８バイトの内、２０４８バイトは使用者データであり、残りにエラー訂正コードである。さらに各セクタは多くのフレームを有している。各フレームは９１バイトの長さであり、２バイトの同期コードが付加されている。１セクタは２６フレームを含む。セクタの始めのフレームに、セクタの論理アドレスを表す４バイトのアドレスコード（ＩＤ）が付与されている。アドレスコード（ＩＤ）に続いて、２バイトのアドレスコード（ＩＤ）エラー検出コード（ＩＥＤ）があり、セクタのいろいろな情報を記録する６バイトの予備ゾーン（ＲＳＶ）がそれに続く。
【００９６】
　図１１に示された第２の実施の形態の再生専用エリアのセクタが、図７に示された第１の実施の形態の再生専用エリアのセクタと違う点は、第１ダミーエリアおよび第２ダミーエリアの除去、ヘッダ領域３１の構造の簡単化およびデータエリアの同じフォーマットの保持である。図１１に示された光ディスクの再生専用エリアの使用者データエリアは、図７に示された光ディスクのものより大きいことは明らかである。さらに、図１１に示された再生専用エリアのデータエリア１３１’フォーマットは書換可能エリアのデータエリア１２５のそれと同じものである。
【００９７】
　図１２は、図９および１０で示された光ディスクを再生するための再生信号処理回路の簡単なブロック図を示す。図１２に示されるように、光ディスク１のトラックは光ヘッド１０７によりスキャンされる。光ヘッド１０７によって検出されたデータはデジタル回路１０９によりデジタル化され、再生クロックがＰＬＬ回路により抽出され、クロックはスイッチ１０８に付与される。光ヘッドにより検出されたデータはまた追加ランド検出器１１３に送られる。追加ランドが検出される毎に、追加ランド検出器はスイッチ１０８の端子ＡおよびＢを切り替える。端子Ａはタイミング発生器１１１およびデモジュレーター１１２に接続されている。それにより書換可能エリアからのデータが処理される。また端子Ｂはタイミング発生器１１５およびデモジュレーター１１６に接続されている。それにより再生専用エリアからのデータが処理される。
【００９８】
　上で説明したように、本発明の第２の実施の形態による光ディスクにおいて、書換可能エリアの内周側の最初のトラックの１回転は始端トラックランドと規定される。また書換可能エリアの外周側の最後のトラックの１回転は終端トラックランドと規定される。始端トラックランド１１ｓおよび終端トラックランド１１aに近接する書換可能エリアのグルーブトラックから半分のトラック幅がずれているヘッダー前半部２４もしくはヘッダー後半部２５のいずれかを捕らえることができる。その結果、ずれたヘッダー部分のデータと、近接する書換可能エリアのデータとの間にはクロストークが生じない。
【００９９】
　また、書換可能エリアと再生専用エリアとの間を容易に検出することができる。
【０１００】
　本発明による光ディスクおよび信号フォーマットでもって、グルーブトラックもしくはランドトラックを追跡するかどうかにかかわらず、書換可能エリアの中で第１のヘッダ領域が再生できる。本発明による光ディスクに対しては、書換可能エリアのグルーブトラックおよびランドトラックのために別のヘッダ領域を設ける必要はない。
【０１０１】
　また、書換可能エリアと再生専用エリアとの間のデータエリア（２４１８バイトエリア）のフォーマットを同じデータフォーマットとすることにより、書換可能エリアの中のセクタ管理が再生専用エリアのセクタ管理と互換性を持たすことが出きる。その結果、再生回路は書換可能エリアと再生専用エリアからのデータに用いられるデジタル回路およびＰＬＬ回路のような共通回路を持つ事が出きる。
【０１０２】
　第１のヘッダ領域および第２のヘッダ領域は、同じデータ列および同じデータ容量を用いて同じモジュレーションコードによってフォーマットされたものであり、また第１のデータ記録エリアのデータフォーマットも、本発明による書換可能エリアと再生専用エリアを含む光ディスクにおいて同じモジュレーションコード用いてモジュレートされたデータを有する第２のデータ記録エリアのデータフォーマットと同じデータ容量を持っている。したがって書換可能エリアと再生専用エリアからの信号を再生するために、共通の再生回路を使用することができる。二つの再生信号処理回路（ひとつは書換可能エリア用、他のひとつは再生専用エリア用）を設ける必要はない。したがって要求される回路の規模は、従来の光ディスク再生回路よりも小さくなる。本発明による光ディスクを用いれば、簡易な回路構成で、かつ、非常に高い信頼性の再生信号処理回路を実現することができる。
【０１０３】
　本発明は上のように説明されたが、いろいろ変形することができるのは明らかである。このような変形は本発明の精神および範囲を逸脱するものとは見なされない。当業者にとって容易に考えられるこのような変形は明らかに次の請求の範囲のなかに含まれる。
【図面の簡単な説明】
【０１０４】
【図１】本発明の第１の実施の形態に係る光ディスクの平面図である。
【図２】本発明の第１の実施の形態に係る光ディスクの部分拡大斜視図である。
【図３】本発明の第１の実施の形態に係る光ディスクのトラックの概略を示す平面図である。
【図４】本発明の第１の実施の形態に係る光ディスクの書換可能エリアと再生専用エリアの切り替え線の近傍における拡大平面図である。
【図５】本発明に係る光ディスクの書換可能エリアにおけるアドレス部の拡大説明図である。
【図６】書換可能エリアにおけるセクタ領域のデータフォーマットの詳細説明図である。
【図７】本発明の第１の実施の形態に係る再生専用エリアにおけるセクタ領域のデータフォーマットの詳細説明図である。
【図８】本発明の第１の実施の形態に係る光ディスクの再生回路のブロック図である。
【図９】本発明の第２の実施の形態に係る光ディスクの部分拡大斜視図である。
【図１０】本発明の第２の実施の形態に係る光ディスクの書換可能エリアと再生専用エリアの切り替え線の近傍における拡大平面図である。
【図１１】本発明の第２の実施の形態に係る再生専用エリアにおけるセクタ領域のデータフォーマットの詳細説明図である。
【図１２】本発明の第２の実施の形態に係る光ディスクの再生回路のブロック図である。
【符号の説明】
【０１０５】
１…光ディスク、
２…書換可能エリア、
３…再生専用エリア、
４…書換可能エリア、
５…リード・イン・エリア、
６…再生専用エリア、
７…書換可能エリア、
８…データ・エリア、
１１…ランド、
１１ａ…終端トラックランド、
１１ｓ…始端トラック、
１２…グルーブ、
１５…マーク、
１６…相変化記録膜、
２６…切り替え線。
【図１】
2004006042.tif 000003
【図２】
2004006042.tif 000004
【図３】
2004006042.tif 000005
【図４】
2004006042.tif 000006
【図５】
2004006042.tif 000007
【図６】
2004006042.tif 000008
【図７】
2004006042.tif 000009
【図８】
2004006042.tif 000010
【図９】
2004006042.tif 000011
【図１０】
2004006042.tif 000012
【図１１】
2004006042.tif 000013
【図１２】
2004006042.tif 000014